(57)【要約】【課題】枠体が仮りに円管状部材で構成されている場合であっても、その内側に、バックボードを、最小限の突出部をもって、簡単にかつ体裁よく固定しうるようにした衝立を得る。【解決手段】左右の支柱３の上下部同士を、横向きの連結杆４、５で連結してなる枠体１における左右の支柱３と上下の連結杆４、５とで形成される包囲空間内にバックボード８を配設し、バックボード８の下辺適所を、枠体１の下部連結杆５に適宜係止するとともに、枠体１の上部連結杆４に上方から貫挿した適数のロックピン１５ａの下端を、バックボード８の上辺に穿設した支持孔１２に挿入係合する。【選択図】　　　　図１
2004089452.tif 000002
【特許請求の範囲】
【請求項１】
左右の支柱の上下部同士を、横向きの連結杆で連結してなる枠体における左右の支柱と上下の連結杆とで形成される包囲空間内にバックボードを配設し、バックボードの下辺適所を、枠体の下部連結杆に適宜係止するとともに、枠体の上部連結杆に上方から貫挿した適数のロックピンの下端を、バックボードの上辺に穿設した支持孔に挿入係合したことを特徴とする衝立。
【請求項２】
バックボードの下辺より垂下した適数の係合ピンを、枠体の下部連結杆に穿設した受孔に挿入係止してなる請求項１記載の衝立。
【請求項３】
複数のロックピンの上端同士を連結して、一体化したことを特徴とする請求項１または２記載の衝立。
【請求項４】
係合ピンおよびロックピンの少くともいずれか一方を、非円形断面のものとしたことを特徴とする請求項２または３記載の衝立。
【請求項５】
枠体における下部連結杆の上面に長手方向の凹溝を形成し、この凹溝に、バックボードの下部横桟を嵌合したことを特徴とする請求項１記載の衝立。
【請求項６】
バックボードの下部横桟に上向きに凹入する嵌合片を設け、この嵌合片を、バックボードの下部横桟の上方から嵌合したことを特徴とする請求項１記載の衝立。
【発明の詳細な説明】
【０００１】
【発明の属する技術分野】
本発明は、枠体の内側にバックボードを備え、間仕切りや陳列棚として使用される衝立に関する。
【０００２】
【従来の技術】
方形の枠体の内側に、平板状もしくはメッシュ状等のバックボードを配設固定した間仕切りや陳列棚（以下衝立と総称する）は公知である。
【０００３】
【発明が解決しようとする課題】
上記した衝立の場合、バックボードの外周面は、枠体の内周面にボルト等をもって固定されるが、その作業は面倒であるとともに手間を要し、かつ固定部は突出していて、体裁を損うとともに、邪魔になる
【０００４】
また例えば実開昭４９−１２９８３８号公報に記載されているハンガーラックのように、枠体が円管状部材で構成されている場合には、枠体の内側の定位置に、バックボードを配設して、安定よく固定する作業は、より面倒となる。
【０００５】
本発明は、枠体が仮りに円管状部材で構成されている場合であっても、その内側に、バックボードを、最小限の突出部をもって、簡単にかつ体裁よく固定しうるようにした衝立を得ることを目的としている。
【０００６】
【課題を解決するための手段】
本発明によると、上記目的は、次のようにして達成される。
【０００７】
（１）左右の支柱の上下部同士を、横向きの連結杆で連結してなる枠体における左右の支柱と上下の連結杆とで形成される包囲空間内にバックボードを配設し、バックボードの下辺適所を、枠体の下部連結杆に適宜係止するとともに、枠体の上部連結杆に上方から貫挿した適数のロックピンの下端を、バックボードの上辺に穿設した支持孔に挿入係合する。
【０００８】
（２）上記（１）項において、バックボードの下辺より垂下した適数の係合ピンを、枠体の下部連結杆に穿設した受孔に挿入係止する。
【０００９】
（３）上記（１）または（２）項において、複数のロックピンの上端同士を連結して、一体化する。
【００１０】
（４）上記（２）または（３）項において、係合ピンおよびロックピンの少くともいずれか一方を、非円形断面のものとする。
【００１１】
（５）上記（１）項において、枠体における下部連結杆の上面に長手方向の凹溝を形成し、この凹溝に、バックボードの下部横桟を嵌合する。
【００１２】
（６）上記（１）項において、バックボードの下部横桟に上向きに凹入する嵌合片を設け、この嵌合片を、バックボードの下部横桟の上方から嵌合する。
【００１３】
【発明の実施の形態】
図において、（１）は枠体で、円管からなり、かつ下端に前後方向を向く脚杆（２）を備える左右１対の支柱（３）（３）の上端部同士および下端部同士を、それぞれ、円管からなる横向きの連結杆（４）（５）の端部を、溶接等により固着することにより連結して形成されている。
【００１４】
上部連結杆（４）には、適宜の間隔を設けて、左右１対の上下方向の貫通孔（６）（６）が穿設され、また下部連結杆（５）の上面には、適宜の間隔を設けて、左右１対の受孔（７）（７）が穿設されている。この受孔（７）は、下部連結杆（５）の下面までは達していない。
【００１５】
（８）はバックボードで、前記支柱（３）（３）と上下の連結杆（４）（５）で囲まれる方形空間よりもやや小寸の方形輪郭の内枠（９）の内側に、パネルもしくは網目板（１０）等を張設して形成され、その厚さは、前記支柱（３）および上下の連結杆（４）（５）の径と同一か、またはそれらより若干小としてある。
【００１６】
バックボード（８）を、内枠（９）を備えない単なる板状体とすることもある。
【００１７】
内枠（９）を構成する各枠杆の断面形は任意であるが、図においては、断面角形の桟体を方形に結合したものとしてある。
【００１８】
内枠（９）の上部横桟（１１）における前記各貫通孔（６）（６）と対応する個所には、上下方向の支持孔（１２）（１２）が穿設されている。
【００１９】
内枠（９）の下部横桟（１３）における前記受孔（７）（７）と対応する個所には、それよりも僅かに小径の下向きの係合ピン（１４）（１４）が突設されている。
【００２０】
バックボード（８）を枠体（１）内に取付けるには、まずその下部横桟（１３）に設けた下向きの係合ピン（１４）（１４）を、枠体（１）の下部連結杆（５）における受孔（７）（７）へ挿入して、バックボード（８）を垂直状態に保持する。
【００２１】
ついで、枠体（１）の上部連結杆（４）における貫通孔（６）（６）へ、下向Ｕ形の係合杆（１５）の両側における下向きのロックピン（１５ａ）（１５ａ）を上方から挿入し、上部連結杆（４）の下方へ突出するその下端を、バックボード（８）の上部横桟（１１）における支持孔（１２）（１２）へ挿入係止する。
【００２２】
これによりバックボード（８）は、枠体（１）内に垂直状態で簡単かつ確実に保持され、しかも突出部は最小限であって、体裁よく、また邪魔になることもない。
【００２３】
ロックピン（１５ａ）（１５ａ）を、下向Ｕ形の係合杆（１５）と一体のものとしないで、個々別々のものとしてもよい。
【００２４】
バックボード（８）を安定よく支持するためには、上記係合ピン（１４）とロックピン（１５ａ）を、それぞれ複数ずつとすることが望ましいが、それらの断面を、非円形もしくは扁平状としたり、互いに食い違い位置に設けることにより、１本ずつとすることもできる。
【００２５】
係合ピン（１４）およびロックピン（１５ａ）が、ともに円形断面で、１本ずつしか備えていない場合には、枠体（１）とバックボード（８）の適所に亘って、クリップ等の係合手段を設けることにより、バックボード（８）の回転を防止しておく。
【００２６】
また図３に示すように、下部連結杆（５）の上面に長手方向の凹溝（１６）を設け、これにバックボード（８）の下部横桟（１３）を嵌合させてもよく、さらに図４に示すように、バックボード（８）の下部横桟（１３）の下面に、長手方向の下向半円状の嵌合片（１７）を設け、これを、枠体（１）の下部連結杆（５）へ、上方から嵌合させてもよい。
【００２７】
枠体（１）を構成する各部材の断面は、円形以外であってもよい。しかし本発明は、上記各部材の断面が円形である場合において、特に効果的なものである。
【００２８】
【発明の効果】
各請求項に記載の発明の効果は、次の如くである。
請求項１：枠体の内側要所に、バックボードを、着脱自在に簡単に取付けることができ、仮りに枠体を構成する各部材が円形断面のものであっても、バックボードの取付けを、正確かつ容易に行うことができる。
【００２９】
請求項２：枠体に対するバックボードの下辺の位置決めを、的確に行うことができる。
【００３０】
請求項３：バックボードの上辺を支持する複数のロックピンを、所定の間隔をもって、同時に、枠体の上部連結杆を経て、バックボードの上辺の支持孔へ挿入することができ、かつ所要数のロックピンの一部を、見失ったり紛失したりすることはない。
【００３１】
請求項４：係合ピンおよびロックピンが、ともに１本ずつであっても、バックボードは、枠体内において回動不能に支持される。
【００３２】
請求項５、６：バックボードの下辺を、枠体の下部連結杆に容易に係止させることができる。
【図面の簡単な説明】
【図１】本発明の衝立の一実施形態を示す斜視図である。
【図２】図１におけるＩＩ−ＩＩ線拡大縦断面図である。
【図３】バックボードの下辺の枠体の下部連結杆に対する係止手段の異なる例を示す拡大縦断側面図である。
【図４】バックボードの下辺の枠体の下部連結杆に対する係止手段のさらに異なる例を示す拡大縦断側面図である。
【符号の説明】
（１）枠体
（２）脚杆
（３）支柱
（４）（５）連結杆
（６）貫通孔
（７）受孔
（８）バックボード
（９内枠
（１０）網目板
（１１）上部横桟
（１２）支持孔
（１３）下部横桟
（１４）係合ピン
（１５）係合杆
（１５ａ）ロックピン
（１６）凹溝
（１７）嵌合片
【図１】
2004089452.tif 000003
【図２】
2004089452.tif 000004
【図３】
2004089452.tif 000005
【図４】
2004089452.tif 000006